(57)【要約】【課題】本発明は、底質を掻き集めるスクリュウーを用いることなく、除去した底質をポンプによって搬出できる底質除去具を提供する。【解決手段】貯水池の底を横方向に移動することにより、貯水池の底に堆積した底質を掬い、除去、送出する底質除去具４であって、下部から上方に向かって上昇する傾斜面部と前記傾斜面部４１に形成された開口部４１ｂを有する、移動方向前面に設けられた底質掬い部４０と、前記底質掬い部４０に後方に配置され、前記底質掬い部によって掬い取られた底質を収容する、前記底質掬い部側が開口した箱形状の密閉した底質収容部４５と、前記底質収容部４５の上面部に設置され、前記底質収容部内部の底質を外部に排出するポンプ４６と、を備えている。【選択図】図２
2017223085.tif 000002
【特許請求の範囲】
【請求項１】
貯水池の底を横方向に移動することにより、貯水池の底に堆積した底質を掬い、除去、送出する底質除去具であって、
下部から上方に向かって上昇する傾斜面部と前記傾斜面部に形成された開口部を有する、移動方向前面に設けられた底質掬い部と、
前記底質掬い部に後方に配置され、前記底質掬い部によって掬い取られた底質を収容する、前記底質掬い部側が開口した箱形状の密閉した底質収容部と、
前記底質収容部の上面部に設置され、前記底質収容部内部の底質を外部に送出するポンプと、
を備えていることを特徴とする底質除去具。
【請求項２】
前記底質掬い部は、下部から上方に向かって上昇する第１の傾斜面部と、前記第１の傾斜面部よりも傾斜角度の大きい第２の傾斜面部とを有し、かつ前記底質掬い部の両端部には、前方に突出する規制板を有していることを特徴とする請求項１記載の底質除去具。
【請求項３】
前記底質掬い部の傾斜面部に向かって高圧水を噴射する高圧水噴射器を備え、
前記高圧水噴射器が前記底質掬い部の上面部に設置されていることを特徴とする請求項１記載の底質除去具。
【請求項４】
前記請求項１乃至請求項３のいずれかに記載された底質除去具を備える底質除去装置であって、
前方に前記底質除去具が取り付けられたフレームと、前記フレームに回転可能に支持された一対の車輪と、前記フレームの後方端部に設けられた、作業者が把持し前方へ前記フレームを押すための把持部とを備えていることを特徴とする底質除去装置。
【請求項５】
前記車輪が、前記底質除去具と前記把持部との中間点よりも底質除去具側の位置において、フレームに回転可能に支持されていることを特徴とする請求項４記載の底質除去装置。
【請求項６】
水平器が前記フレーム上に設置されていることを特徴とする請求項４または請求項５記載の底質除去装置。
【発明の詳細な説明】
【技術分野】
【０００１】
本発明は底質除去具及びこれを用いた底質除去装置に関し、例えば湖沼や堀、人工池、農業用ため池等の貯水池の底に堆積した堆積物（底質）を、貯水池の底を移動しながら連続的に除去する底質除去具及びこれを用いた底質除去装置に関する。
【背景技術】
【０００２】
湖沼や堀、人工池、農業用ため池等の貯水池には、土や砂、ヘドロ等の堆積物（底質）が徐々に堆積してゆく。これら、堆積物は貯水池の水深を浅くして貯水池本来の機能を低下させるほか、水質の悪化を引き起こす一因となる。
そのため、堆積物（底質）を定期的に除去することが必要であり、この堆積物（底質）の除去には底質除去装置が用いられる。
【０００３】
従来の底質除去装置について、特許文献１に記載された底質除去装置を例にとって説明する。
この特許文献１に記載された底質除去装置５０は、図７に示すように、貯水池の底泥（底質）を水ごと吸引して底泥スラリとして圧送する送水ポンプ５１と、貯水池の水面に浮いて送水ポンプ５１を水中に吊下げる台船５２と、送水ポンプ５１が吸引した底泥スラリを搬送する送水ホース５３と、この送水ホース５３により搬送された底泥スラリから底泥を分離回収する分離処理装置（図示せず）とを有している。
【０００４】
前記送水ポンプ５１は底泥スラリを圧送するものであり、モータを内蔵し防水性を有するポンプ本体部５１ａと、このポンプ本体部５１ａの下部に設置されたケーシング５１ｂと、このケーシング５１ｂ内に設置されモータによって回転動作するインペラ５１ｃと、ケーシング５１ｂの取水口に設置されたカッタ５１ｄと、モータによって回転動作し斜め下方を向いた羽根を複数備えた攪拌羽根５１ｅと、ケーシング５１ｂの下方に延びた脚部５１ｆと、を有している。
そして、ケーシング５１ｂからはホース接続端５１ｇが伸び、このホース接続端５１ｇに送水ホース５３の一端が接続されている。また、送水ポンプ５１の電源ケーブル５４は、送水ホース５３に沿って陸上まで延伸され、図示しない送水ポンプ制御盤を介して電源に接続される。
【０００５】
前記台船５２は送水ポンプ５１及び作業者を搭載しても貯水池の水面に浮く十分なフロートを備え、台船５２の略中央部分には送水ポンプ５１を貯水池内に昇降する昇降口５２ａを有している。
また、昇降口５２ａの上部には送水ポンプ５１を吊下げる櫓５５が設置され、この櫓５５の上部には送水ポンプ５１を昇降する昇降機５６が設置されている。
尚、昇降機５６の電源ケーブル５６ａは、送水ポンプ５１の電源ケーブル５４とともに送水ホース５３に沿って陸上まで延伸され図示しない電源に接続される。
【０００６】
この底質除去装置５０によって底質を除去するには、まずポンプ本体部５１を上昇させた状態で台船５２を所定の作業場所まで移動させる。そして、その作業場所において、前記昇降機５６により送水ポンプ５１を降下させ水底に配置し、送水ポンプ５１を稼働する。
【０００７】
即ち、ポンプ本体部５１ａ内のモータが回転し、インペラ５１ｃと攪拌羽根５１ｅとが回転動作し、攪拌羽根５１ｅが底泥を攪拌する。この攪拌羽根５１ｅの回転動作によって発生する下向きの水流によって底泥は舞い上がる。舞い上げられた底泥はインペラ５１ｃの回転動作により貯水池の水ごとケーシング５１ｂの取水口から吸引され、底泥スラリとして送水ホース５３を介して分離処理装置に圧送される。
尚、底泥中に混在する落ち葉、枯枝、水生植物の葉茎根等のゴミ類は、ケーシング５１ｂの取水口に設置されたカッタ５１ｄと回転するインペラ５１ｃ及び攪拌羽根５１ｅとの間で適度な大きさに破砕される。
そして、貯水池の底泥スラリは、ケーシング５１ｂの取水口から吸引され送水ホース５３を介して分離処理装置に圧送され、分離処理装置において底泥（底質）と水に分離される。
【０００８】
前記した従来の底質除去装置にあっては、底質除去の作業場所を変える度に、送水ポンプを引き上げ、所定の場所まで移動させた後、再び送水ポンプを下降させる作業を行わなければならなかった。そのため、底質除去作業に時間がかかり、除去作業を円滑に行うことができず、特に、貯水池の底質を連続的に除去することができないという問題があった。
【０００９】
一方、貯水池の底質を連続的に除去する底質除去装置として、特許文献２に示す底質除去装置が提案されている。この底質除去装置を図８に基づいて説明する。
図８における符号６１は貯水池の底を滑走するそりであって、ロープ６２を介して台船（図示せず）に連結されている。前記そり６１の下面のカバー６３内部には、モータ（図示せず）で駆動されるスクリュー６４が設けられ、前記スクリュウー６４が回転することにより、カバー６３の前面から侵入した底質が吸入管６５に集められるように構成されている。
そして、スクリュウー６５によって集められた底質は、吸入管６５からポンプ６６を介して、泥液上昇管６７より船（図示せず）に搬出され、分離処理装置等によって所定の処理がなされる。
【先行技術文献】
【特許文献】
【００１０】
【特許文献１】特開２０１６−２３４２６号公報
【特許文献２】特開昭５９−４７２８号公報
【発明の概要】
【発明が解決しようとする課題】
【００１１】
ところで、前記したように、特許文献２に記載した底質除去装置にあっては、そりが用いられているため、前記そりが貯水池の底を滑走し、連続的に底質を除去することができる。
しかしながら、特許文献２に記載した底質除去装置では、スクリュウーにより底質を掻き集めて、ポンプによって吸入管から吸引するように構成されているため、前記スクリュウーに藻、あるいはビニール紐等のゴミが絡み付くことが多く、作業の中断を余儀なくされることがあった。
【００１２】
また、前記したように、特許文献１、２に記載の底質除去装置にあっては、台船が用いられるため、底質除去作業が大掛かりになり、底質除去作業を簡易に行うことができないという技術的な課題があった。更に、前記したように台船を用いて底質除去作業が行われるため、水深の浅い貯水池では底質除去作業を行うことができない場合があった。
【００１３】
本発明者らは、貯水池の底を横方向に移動し、連続的に底質を除去することができる底質除去具を開発するに際し、特許文献２に記載した底質除去装置のようなスクリュウーを用いることなく、底質を除去、搬出（送出）できる底質除去具を鋭意研究し、本発明を完成するに至った。また、前記底質除去具を用い、しかも台船を用いることなく、水深の浅い貯水池において簡易に底質除去作業を行うことができる底質除去装置を鋭意研究し、本発明を完成するに至った。
【００１４】
本発明は、底質を掻き集めるスクリュウーを用いることなく、除去した底質をポンプによって搬出（送出）できる底質除去具を提供することを目的とする。また、本発明は台船を用いることなく、底質除去作業を連続的に行うことができ、しかも円滑に除去作業を行うことができる底質除去装置を提供することを目的とする。
【課題を解決するための手段】
【００１５】
前記した課題を解決するためになされた本発明にかかる底質除去具は、貯水池の底を横方向に移動することにより、貯水池の底に堆積した底質を掬い、除去、送出する底質除去具であって、下部から上方に向かって上昇する傾斜面部と前記傾斜面部に形成された開口部を有する、移動方向前面に設けられた底質掬い部と、前記底質掬い部に後方に配置され、前記底質掬い部によって掬い取られた底質を収容する、前記底質掬い部側が開口した箱形状の密閉した底質収容部と、前記底質収容部の上面部に設置され、前記底質収容部内部の底質を外部に送出するポンプと、を備えていることを特徴としている。
【００１６】
本発明にかかる底質除去具は、下部から上方に向かって上昇する傾斜面部と前記傾斜面部に形成された開口部を有する底質掬い部を備えるため、貯水池の底を横方向に移動することにより、貯水池の底に堆積した底質を掬い除去することができる。また、除去した底質は底質掬い部に後方に配置された底質収容部に収容され、前記底質収容部は底質掬い部側が開口した箱形状の密閉した空間を構成するため、前記底質収容部の上面部に設置されたポンプにより、前記底質収容部内部の底質を外部に効率的に送出することができる。
このように、底質掬い部の後方に、上面部にポンプが設置された箱形状の密閉した空間を形成する底質収容部が設けられているために、従来のような底質を掻き集めるスクリュウーを用いることなく、除去した底質をポンプによって外部に効率的に送出することができる。
【００１７】
ここで、前記底質掬い部は、下部から上方に向かって上昇する第１の傾斜面部と、前記第１の傾斜面部よりも傾斜角度の大きい第２の傾斜面部とを有し、かつ前記底質掬い部の両端部には、前方に突出する規制板を有していることが望ましい。
このように、第１の傾斜面部、第２の傾斜面部、規制板が設けられているため、底質掬い部上を流れる底質をより多く、底質収容部に取り込むことができる。
特に、前記第１の傾斜面部よりも傾斜角度の大きい第２の傾斜面部を有しているため、第２の傾斜面部によって、第１の傾斜面部上を流れる底質を受け止めることができ、より多くの底質を底質収容部に取り込むことができる。
【００１８】
また、前記底質掬い部の傾斜面部に向かって高圧水を噴射する高圧水噴射器を備え、前記高圧水噴射器が前記底質掬い部の上面部に設置されていることが望ましい。
このように高圧水噴射器を備えることにより、底質掬い部の表面に付着した（引っ掛かった）藻等の植物、あるいはビニール紐などのゴミ等の大きな異物を除去できる。
【００１９】
また、前記した課題を解決するためになされた本発明にかかる底質除去具を備える底質除去装置は、前方に前記底質除去具が取り付けられたフレームと、前記フレームに回転可能に支持された一対の車輪と、前記フレームの後方端部に設けられた、作業者が把持し前方へ前記フレームを押すための把持部とを備えていることを特徴としている。
このように本発明にかかる底質除去装置は、作業者が底質除去装置を押すことによって、台船を用いることなく、底質除去具を貯水池の底を横方向に連続して容易に移動させることができるため、水深の浅い貯水池において底質除去作業を行うことができる。
また、底質除去の作業場所を変える度に、ポンプを引き上げ、所定の場所まで移動させた後、再びポンプを下降させる作業を行なう必要がないため、底質除去作業に効率的に、かつ円滑に、除去作業を行うことができる。特に、ポンプを連続的に移動させることができ、貯水池の底質を連続的に除去することができる。
【００２０】
ここで、前記車輪が、前記底質除去具と前記把持部との中間点よりも底質除去具側の位置において、フレームに回転可能に支持されていることが望ましい。
このように、底質除去具と前記把持部の中間点よりも底質除去具側の位置において、車輪が支持されているため、作業者がフレームの把持部を上下動させることにより、底質除去具を傾動（上下動）させることができる。しかも、車輪が、フレームにおける底質除去具と前記把持部の中間点よりも底質除去具側の位置で支持されるため、作業者は小さな力で底質除去具を傾動（上下動）させることができる。
【００２１】
更に、水平器が前記フレーム上に設置されていることが望ましい。このように、水平器を設けることにより、底質除去具の傾動状態（傾き状態）を作業者が認識することができる。
【発明の効果】
【００２２】
本発明によれば、底質を掻き集めるスクリュウーを用いることなく、除去した底質をポンプによって搬出（送出）できる底質除去具を得ることができる。また、本発明は台船を用いることなく、底質除去作業を連続的に行うことができ、しかも円滑に除去作業を行うことができる底質除去装置を得ることができる。
【図面の簡単な説明】
【００２３】
【図１】図１は、本発明に係る底質除去装置の実施形態を示す側面図である。
【図２】図２は、図１示した底質除去具の斜視図である。
【図３】図３は、図１に示した底質除去具の第１の変形例を示す斜視図である。
【図４】図４は、図１に示した底質除去具の第２変形例を示す図であって、（ａ）は正面図、（ｂ）は側面図である。
【図５】図５は、図１に示した底質除去装置の平面図である。
【図６】図６は、図１に示した底質除去装置の正面図である。
【図７】図７は、特許文献１に記載された従来の底質除去装置を示す概略構成図である。
【図８】図７は、特許文献２に記載された従来の底質除去装置を示す概略構成図である。
【発明を実施するための形態】
【００２４】
本発明にかかる底質除去具及び底質除去装置にかかる実施形態について説明する。
この底質除去装置の概略構成を図１に示す。図１に示すように、この底質除去装置１は、フレーム２に回転可能に支持された一対の車輪３と、前記フレーム２の前方に支持固定された底質除去具４と、前記フレーム２の後方端部に設けられた、前記作業者が把持し前方へ前記フレーム２を押すための把持部２ａとを備えている。
この底質除去装置１は、作業者が把持部２ａを持ち、前方へ前記フレーム２を押すことにより、前記底質除去具４を前方に移動させ、連続的に底質を除去するものである。
【００２５】
前記した本発明にかかる底質除去具４について、図２に基づいて説明する。
前記底質除去具４は、前記底質を掬い取る底質掬い部４０と、前記底質掬い部４０によって掬い取られた底質を収容する底質収容部４５とを備えている。
【００２６】
前記底質掬い部４０は、前記底質収容部４５の前面部（進行方向前面）に設けられ、下部から上方に向かって上昇する傾斜した傾斜面部４１と、前記傾斜面部４１の両端部に形成された規制板４２とを備えている。
前記傾斜面部４１は、板体４１ａと、前記板体４１ａに形成された円形形状の複数の開口４１ｂを有している。
【００２７】
前記板体４１ａは、下部から上方に向かって上昇する傾斜面部を形成し、前記底質除去具４を前方に移動させることにより、貯水池の底の底質を連続的に除去する。また、除去された底質は、前記板材４１ａ上を流れ、前記開口４１ｂから前記底質収容部４５の内部に収容される。
また、傾斜面部４１（板体４１ａ）の両端部に設けられた規制板４２は、前記底質掬い部４０に集められた底質が傾斜面部４１（板体４１ａ）の両側から脱落するのを防止するものである。
【００２８】
前記傾斜面部４１には、下部から上方に向かって上昇する第１の傾斜面部４１Ａと、前記第１の傾斜面部４１Ａよりも大きな傾斜角度で傾斜した第２の傾斜面部４１Ｂとを有している。
このように第２の傾斜面部４１Ｂを設けることにより、前記傾斜面部４１上を流れる底質をより多く、前記底質収容部４５に取り込むことができる。
【００２９】
また、底質収容部４５は前記底質掬い部４０の後方に配置され、前記底質掬い部４０によって掬い取られた底質を収容するため、前記掬い部側が開口した密閉された箱形状に形成されている。即ち、底質収容部４５には、前記掬い部側を除いて、密閉した空間が形成されている。
また、底質収容部４５の上面部には送水ポンプ（サンドポンプ）４６が設置され、底質収容部４５の上面部には送水ポンプ４６の吸引口（図示せず）が形成されている。そして、底質収容部４５の密閉した空間に収容された底質は、前記送水ポンプ４６の吸引口及び送水ポンプ（サンドポンプ）４６を介して、外部に送出される。
具体的には、背景技術で説明した送水ポンプ、送水ホース、分離処理装置を用い、前記分離処理装置に送出するように構成されている。尚、図１、図４には、送水ホース、分離処理装置を図示していない。
【００３０】
次に、図３に基づいて本発明にかかる底質除去具の第１の変形例について説明する。
この変形例は、底質掬い部４０の傾斜面部４７形成された貫通穴である平面視円形の開口を、平面視矩形形状の複数のスリットに変更した点に特徴を有する。
即ち、傾斜面部４７は、図３に示すように、矩形形状の複数のスリット４７ａを有し、そのスリット４７ａの幅ｗａが６ｍｍ〜１０ｍｍ、スリット間の仕切り板４７ｂの幅ｗｂが１ｍｍ〜２ｍｍで形成されている。
【００３１】
スリット４７ａの幅ｗａが６ｍｍ未満、また仕切り板４７ｂの幅ｗｂが２ｍｍを超える場合には、傾斜面部４７の前面にゴミが溜まり易く、また底泥スラリ（底質スラリ）が通過し難いため、好ましくない。
また、スリット４７ａの幅ｗａが１０ｍｍ超える場合には、ゴミが通過し、底質収容部４５に設けられた送水ポンプ４６に侵入する虞があり、好ましくない。また、仕切り板４７ｂの幅ｗｂが１ｍｍ未満の場合には、仕切り板４７ｂの機械的強度が小さくなり、変形しし易いため、好ましくない。
【００３２】
次に、図４に基づいて本発明にかかる底質除去装置の第２の変形例について説明する。
この第２の変形例は、底質掬い部４０の上面に、高圧水を噴射する高圧水噴射器４８が設けられ、かつ高圧水の噴射が前記スリット４７ａに向けられている点に特徴を有する。
【００３３】
この高圧水噴射器４８は、水が供給される配管４８ａと、この配管４８ａに所定の間隔で取り付けられた複数（５つ）の噴射ノズル４８ｂとを有する。
そして、高圧水噴射器４８に、高圧水が図示しない供給源から供されることによって、傾斜面部４７の前面に向かって高圧水が噴射されるように構成されている。
尚、高圧水は、分離処理装置によって分離された水を用いることもできる。
【００３４】
このような底質除去装置１では、傾斜面部４７の表面に付着した（引っ掛かった）藻、ビニール紐等の大きな異物を、高圧水噴射器４８からの高圧水噴射により除去できる。
また、この高圧水の噴射により、傾斜面部４７の表面を覆うようにして固まった底質を粉砕することができ、より円滑に底質除去作業を行うことができる。
【００３５】
次に、この底質除去具４が搭載される底質除去装置１について、図１、図５、図６に基づいて説明する。
まず、底質除去装置１の骨格をなすフレーム２について説明する。
図５に示すように、フレーム２は、左フレーム部２０ａと、右フレーム部２０ｂと、前端フレーム部２０ｃとを有する、平面視上コの字状の上部フレーム２０を有している。
また、前記上部フレーム２０の長手方向の略中間点には、左フレーム部２０ａ、右フレーム部２０ｂを連結する第１の補強フレーム２１が設けられている。
更に、前端フレーム部２０ｃと第１の補強フレーム２１の間には、左フレーム部２０ａ、右フレーム部２０ｂを連結する第２の補強フレーム２２が設けられている。
【００３６】
また、図１、図６に示すように、前記上部フレーム２０の前端部には、前端フレーム２０ｃから下方に延設された、底質除去具４を支持固定する底質除去具支持フレーム２３が設けられている。
この底質除去具支持フレーム２３は、所定の間隔を持って配置された一対の左底質除去具支持フレーム２３ａ、右底質除去具支持フレーム２３ｂからなり、前記フレーム２３ａ，２３ｂによって、前記底質除去具４の両側を支持固定する。
【００３７】
また、前記底質除去具支持フレーム２３の後方には、左フレーム部２０ａ，右フレーム部２０ｂの夫々のフレームから下方に延設された、第１の車軸支持フレーム２４が設けられている。
この第１の車軸支持フレーム２４は、左右の第１の車軸支持フレーム２４ａ，２４ｂからなり、図６に示すように、軸受け５を介して、左右に配置された車輪３の回転軸３Ａの外側端部を回転可能に支持する。
【００３８】
更に、図５、図６に示すように、左右の車輪３の回転軸３Ａの内側端部は、軸受け６を介して、第２の車軸支持フレーム２５によって回転可能に支持される。この第２の車軸支持フレーム２５は、左右の第２の車軸支持フレーム２５ａ，２５ｂからなり、この第２の車軸支持フレーム２５ａ，２５ｂの一端部は、第２の補強フレーム２２から下方に延設された第１の固定フレーム２６（左右の第１の固定フレーム２６ａ，２６ｂ）に連結されている。
また、第２の車軸支持フレーム２５ａ，２５ｂの他端部は、底質除去具支持フレーム２３に連結されている。また、第１の固定フレーム２６ａ，２６ｂは、機械的強度を増すために、連結部材１０によって連結されている。
【００３９】
このようにフレーム２が構成されているため、フレーム２にねじれ等を発生させることなく、作業者が前方へ前記フレーム２を押すことにより、前記底質除去具４を前方に移動させ、連続的に底質を除去することができる。
【００４０】
ここで、前記車輪３は、前記底質除去具４と前記把持部２ａの中間点よりも底質除去部側の位置において、フレーム２に回転可能に支持されていることが好ましい。
この底質除去装置１を移動可能になすため、前記底質除去具４の下面は、図３に示すように、前記車輪３の下端部よりも高い位置Ｈに設定される。
尚、前記車輪３及び前記底質除去具４は底質除去装置１の自重により底質内に沈み込み、底質除去装置１が移動することによって、底質除去具４は底質を除去する。
【００４１】
また、前記車輪３は底質除去装置１の自重により底質内に沈む込み、底質除去装置１が前方に傾いた際にも、作業者が前記フレーム２（把持部２ａ）を押し下げることにより、底質除去装置１を水平状態になすことができる。
このとき、車輪３が前記底質除去具４と前記把持部２ａの中間点よりも底質除去部側の位置において支持されているため、小さな押下げ力により、底質除去装置１を水平状態になすことができる。
尚、第１の補強フレーム２１の上面には水平器７が設置され、作業者が底質除去装置１の水平度を認識できようになされている。
【００４２】
次に、前記底質除去具４及び前記底質除去具４を用いた底質除去装置１の動作、作用について説明する。
まず、作業者が上部フレーム２の把持部２ａを把持し、人力で底質除去装置１を前方に押す。この底質除去装置１の前進に伴って、底質掬い部４０の先端部によって底質が掬われ、前面部に配置された傾斜面部４１を介して、底質収容部４５内に底質が収容される。その後、底質収容部４５内の底質は送水ポンプ４６によって、分離処理装置に送られる。
即ち、底質除去装置１を人力によって前進させることにより、貯水池等の底質を掬い取り（除去し）、水と共に吸引して底泥スラリ（底質スラリ）として、送水ポンプ４６によって、分離処理装置に送られる。
尚、底質掬い部４０によって大きなゴミを除去した状態で、前記底泥スラリ（底質スラリ）を底質収容部４５内に収容することができるため、送水ポンプ４６等の破損を防止することができる。
【００４３】
以上説明したように、本発明にかかる底質除去具によれば、貯水池の底を横方向に移動することにより、貯水池の底に堆積した底質を掬い除去することができる。また、除去した底質は底質掬い部に後方に配置された底質収容部に収容され、送出ポンプにより、前記底質収容部内部の底質を外部に効率的に送出することができる。即ち、従来のような底質を掻き集めるスクリュウーを用いることなく、除去した底質をポンプによって外部に効率的に送出することができる。
【００４４】
また、本発明にかかる底質除去装置によれば、台船を用いることなく、人力によって移動させることができるため、底質の除去作業が大掛かりにならず、簡易に底質除去作業を行うことができる。
また、台船を用いないため、水深の浅い貯水池においても、容易に底質除去作業を行うことができる。更に、底質除去の作業場所を変える際、送水ポンプの引き上げ、下降を行う必要がなく、除去作業を円滑に行うことができ、底質除去作業を短時間に効率的に行うことができる。特に、前記底質除去装置の移動により貯水池の底質を連続的に除去することができる。
【符号の説明】
【００４５】
１          底質除去装置
２        フレーム
３        車輪
４        底質除去具
５        軸受け
６        軸受け
７        水平器
４０      底質掬い部
４１      傾斜面部
４１Ａ    第１の傾斜面部
４１Ｂ    第２の傾斜面部
４２      規制板
４５      底質収容部
４６      送水ポンプ（サンドポンプ）
４７      傾斜面部
４８      高圧水噴射器
【図１】
2017223085.tif 000003
【図２】
2017223085.tif 000004
【図３】
2017223085.tif 000005
【図４】
2017223085.tif 000006
【図５】
2017223085.tif 000007
【図６】
2017223085.tif 000008
【図７】
2017223085.tif 000009
【図８】
2017223085.tif 000010